(57)【要約】      （修正有）【課題】生体情報測定器によって、使用者に対して薬剤の服用情報を適切に提供する。【解決手段】センサ装着部４を有する本体ケース１ａと、この本体ケース１ａ内で前記センサ装着部４に接続された測定部と、この測定部に接続された制御部と、この制御部に接続された記憶部と、前記本体ケース１ａ外表面に設けられた表示部２と、前記制御部に接続された食前ボタン１３ａ、食後ボタン１３ｂと、を備え、前記制御部は、薬剤の服用情報を有する薬剤データを前記記憶部に記憶させるとともに、前記食前ボタン１３ａ、食後ボタン１３ｂにより食事情報が入力されると、この食事情報に適合する薬剤の服用情報を前記記憶部から読み出して前記表示部２に表示させる構成とした。【選択図】図１
2014158511.tif 000002
【特許請求の範囲】
【請求項１】
センサ装着部を有する本体ケースと、この本体ケース内で前記センサ装着部に接続された測定部と、この測定部に接続された制御部と、この制御部に接続された記憶部と、前記本体ケース外表面に設けられた表示部と、前記制御部に接続された食事情報の入力手段と、を備え、
前記制御部は、薬剤の服用情報を有する薬剤データを前記記憶部に記憶させるとともに、
前記入力手段により食事情報が入力されると、この食事情報に適合する薬剤の服用情報を前記記憶部から読み出して前記表示部に表示させる構成とした生体情報測定装置。
【請求項２】
薬剤データは、薬剤の食前の服用情報、あるいは薬剤の食後の服用情報、の少なくとも一つを有する請求項１に記載の生体情報測定器。
【請求項３】
前記制御部は、この制御部に接続した通信部を介して薬剤データを受け取る構成とした請求項１または２に記載の生体情報測定装置。
【請求項４】
前記制御部は、複数個の薬剤データを前記記憶部に記憶する構成とした請求項１から３のいずれか一つに記載の生体情報測定装置。
【請求項５】
薬剤データは有効期限を有し、前記制御部は薬剤データが有効期限内の時に、薬剤の服用情報を前記表示部に表示する構成とした請求項１から４のいずれか一つに記載の生体情報測定装置。
【発明の詳細な説明】
【技術分野】
【０００１】
本発明は、たとえば血液中から血糖値のような生体情報を測定する生体情報測定装置に関するものである。
【背景技術】
【０００２】
従来のこの種、生体情報装置の構成は、以下のような構成となっていた。
【０００３】
すなわち、センサ装着部を有する本体ケースと、この本体ケース内で前記センサ装着部に接続された測定部と、この測定部に接続された制御部と、この制御部に接続された記憶部と、前記本体ケース外表面に設けられた表示部と、前記制御部に接続された食事情報の入力手段と、を備えた構成となっていた。
【０００４】
そして、生体情報測定装置が血糖値を測定するものである場合、血糖値の測定後に、この血糖値に大きく影響を与える食事情報（たとえば、測定は食前に行われた、あるいは測定は食後に行われた）が入力される。この食事情報は測定値とともに医師のパソコンに送られ、医師が健康指導を行うときのデータとなっていた（たとえば、下記特許文献１）。
【先行技術文献】
【特許文献】
【０００５】
【特許文献１】国際公開２０１１／１２９４１８号
【発明の概要】
【発明が解決しようとする課題】
【０００６】
上記従来例における課題は、使用者に対して、薬剤の服用情報を適切に提供することができないということであった。
【０００７】
すなわち、生体情報測定装置が血糖値を測定するものである場合、使用者は、たとえば健康管理の一環として、生体情報測定装置で血糖値を確認する前または確認した後に、医師に指示された薬剤を服用する。薬剤には服用のタイミングがあるので、その薬剤毎に食前に服用、または食後に服用することが医師から指示される。
【０００８】
しかしながら、医師から複数の薬剤を指示されたが、これらの薬剤にまだ慣れていない使用者は、どの薬剤をどのタイミングで服用すればいいのか混乱してしまうこともある。
【０００９】
そこで本発明は、生体情報測定器によって、使用者に薬剤の服用情報を適切に提供することができるようにすることを目的とする。
【課題を解決するための手段】
【００１０】
そして、この目的を達成するために本発明は、センサ装着部を有する本体ケースと、この本体ケース内で前記センサ装着部に接続された測定部と、この測定部に接続された制御部と、この制御部に接続された記憶部と、前記本体ケース外表面に設けられた表示部と、前記制御部に接続された食事情報の入力手段と、を備え、前記制御部は、薬剤の服用情報を有する薬剤データを前記記憶部に記憶させるとともに、前記入力手段により食事情報が入力されると、この食事情報に適合する薬剤の服用情報を前記記憶部から読み出して前記表示部に表示させる構成とし、これにより所期の目的を達成するものである。
【発明の効果】
【００１１】
以上のように本発明は、センサ装着部を有する本体ケースと、この本体ケース内で前記センサ装着部に接続された測定部と、この測定部に接続された制御部と、この制御部に接続された記憶部と、前記本体ケース外表面に設けられた表示部と、前記制御部に接続された食事情報の入力手段と、を備え、前記制御部は、薬剤の服用情報を有する薬剤データを前記記憶部に記憶させるとともに、前記入力手段により食事情報が入力されると、この食事情報に適合する薬剤の服用情報を前記記憶部から読み出して前記表示部に表示させる構成としたものであるので、薬剤の服用情報を提供することができる。
【００１２】
すなわち、本発明の生体情報測定装置において、たとえば、生体情報として血糖値を測定するものである場合、血糖値の測定後に食事情報が入力されると、この食事情報に適合する薬剤の服用情報を表示部に表示させるものであるので、たとえば、「○○薬は食前に服用します。△△薬は食後に服用します。」と薬剤の服薬情報が、表示部に表示される。
【００１３】
このため、使用者は、血糖値を測定する時に、服用する薬剤について、どの薬剤をどのタイミングで使用すれば良いのかということを確認することができる。
【００１４】
その結果として、生体情報測定器によって、使用者に対して薬剤の服用情報を適切に提供することができるものとなる。
【図面の簡単な説明】
【００１５】
【図１】本発明の一実施形態に係る生体情報測定装置の使用状態を示す図
【図２】同、生体情報測定装置の制御ブロック図
【図３】同、生体情報測定装置の薬剤データを示す図
【図４】同、生体情報測定装置の動作フローチャート
【図５】同、生体情報測定装置の正面図
【図６】同、生体情報測定装置の正面図
【発明を実施するための形態】
【００１６】
以下、本発明の一実施形態を、たとえば、血液中から血糖値を測定する測定器に適用した場合を例にして説明する。
【００１７】
（実施の形態１）
図１において、１は、例えば血糖値などの生体情報を測定する測定器（生体情報測定装置の一例）で、その本体ケース１ａは、ほぼ長方形状に形成されている。本体ケース１ａには、その外表面に長方形状の表示部２が設けられるとともに、その一端側には、血糖値センサ（生体情報測定センサの一例）３を装着するセンサ装着部４が設けられている。
【００１８】
本体ケース１ａ内では、図２に示すように、センサ装着部４に測定部５が接続され、この測定部５は制御部６に接続されている。制御部６には、表示部２、時計７、電池８、キー入力部９、通信部１０、記憶部１１が接続されている。
【００１９】
そして、図１で示すように、センサ装着部４に装着された血糖値センサ３の点着部１２に血液が点着されると、測定部５により血糖値が測定され、測定された血糖値が表示部２に表示されるとともに記憶部１１に記憶される。
【００２０】
血糖値の測定後には、食前ボタン（入力手段の一例）１３ａ、食後ボタン（入力手段の一例）１３ｂが表示部２に表示され、この測定が行われたのは食前なのか、あるいは食後なのかを示す食事情報が入力されるようになっている。なお、このように表示部２に表示されるボタンは、使用者がキー入力部９を操作して選択する。
【００２１】
この食事情報は、血糖値に大きく影響を与えるものであるので、食前ボタン１３ａが選択された時は、「この測定は食前に行われた」という食事情報が、血糖値に関連づけられて記憶部１１に記憶される。また、食後ボタン１３ｂが選択された時は、「この測定は食後に行われた」という食事情報が、血糖値に関連づけられて記憶部１１に記憶される。
【００２２】
そして、図１に示すように、使用者が病院に行き、測定器１を医師のパソコン１４に接続すると、測定器１の記憶部１１に記憶された複数の測定値およびそれぞれの食事情報が、医師のパソコン１４に送信され、医師は送られてきた血糖値および食事情報を用いて診断を行う。医師は、患者（測定器１の使用者）に適した薬剤（時には複数の薬剤）を指定し、その服用方法を患者に指示する。患者は指示された薬剤を服用方法に従って服用する。
【００２３】
以下に本発明の特徴点である薬剤の服用情報の提供について説明する。
【００２４】
まず、患者の服用する薬剤が、たとえば○○薬と△△薬の２種類である場合、図３（ａ）、（ｂ）に示すように、○○薬の薬剤データ１５、△△薬の薬剤データ１６が、医師のパソコン１４を用いて、医師により薬剤毎に作成される。
【００２５】
これら薬剤データ１５、１６には、薬剤の名称、薬剤の食前の服用情報、薬剤の食後の服用情報、薬剤の有効期限が記録される。
【００２６】
たとえば、図３（ａ）の薬剤データ１５には、名称が「○○薬」、食前の服用情報が「（○○薬）は、食前に服用します。」、有効期限が「２０１３年１月３０日」と記録されている。なお、この薬剤データ１５では、食後の服用情報は記録されていない。
【００２７】
また、図３（ｂ）の薬剤データ１６には、名称が「△△薬」、食前の服用情報が「（△△薬）は、食後に服用します。」、食後の服用情報が「食後に（△△薬）を、服用しましたか？」、有効期限が「２０１３年２月３０日」と記録されている。
【００２８】
医師は、作成した薬剤データ１５、１６を、患者の測定器１に送信する。測定器１の制御部６は、薬剤データ１５、１６を、通信部１０を介して受信し（図４のＳ１）、記憶部１１に記憶する（図４のＳ２）。
【００２９】
測定部５により血糖値が測定されると、制御部６は、この血糖値を記憶部１１に記憶するとともに、図１に示すように、表示部２にその値をたとえば８０ｍｇ／ｄＬと表示する（図４のＳ３）。
【００３０】
制御部６は、表示部２に血糖値を表示すると共に、食前ボタン１３ａ、食後ボタン１３ｂを表示し、この測定が行われたのは食前なのか、あるいは食後なのかを示す食事情報の入力を使用者に促す。そして、使用者により食前ボタン１３ａが選択された時には、食事情報は食前となり、食後ボタン１３ｂが選択された時には、食事情報は食後となる。制御部６は、この食事情報を血糖値に関連づけて記憶部１１に記憶する（図４のＳ４）。
【００３１】
なお、この実施形態のように生体情報として血糖値を測定する時、薬剤が食前に飲むものである場合には、血糖値の測定を行い、次に薬剤を飲み、その後食事をすることが多い。また、薬剤が食後に飲むものである場合には、食後薬剤を飲み、次に血糖値の測定を行うことが多い。
【００３２】
次に制御部６は、入力された食事情報の確認を行う（図４のＳ５）。
【００３３】
制御部６は、食事情報が食前である時、記憶部１１の薬剤データ１５、１６に食前の服用情報が記録されているか否かを確認し、食事情報に適合する服用情報（この場合は食前の服用情報）が記録されている時には、図５に示すように、表示部２に食前の服用情報を表示する。
【００３４】
今回は、食前の服用情報として、薬剤データ１５に「（○○薬）は、食前に服用します」、薬剤データ１６に「（△△薬）は、食後に服用します」と記録されているので、これら○○薬と△△薬の服用情報を、表示部２に順次表示する（図４のＳ６）。
【００３５】
その後、使用者は、表示部２の表示に従って、○○薬を食前に服用し、△△薬を食後に服用することとなる。
【００３６】
すなわち、食前に血糖値を確認する時に、使用者は、その後に服用する薬剤について、どの薬剤をどのタイミングで使用すれば良いのかを再確認することができる。
【００３７】
その結果として、使用者に対して、薬剤の服用情報を適切に提供することができるものとなる。
【００３８】
なお、図４のＳ５において、食事情報が食前である時、制御部６は、記憶部１１の薬剤データ１５、１６に食後の服用情報が記録されているか否かを確認し、食事情報に適合する服用情報（この場合は食後の服用情報）が記録されている時には、食事情報に適合する服用情報を記憶部１１から読み出して、図５に示すように、表示部２に表示する。
【００３９】
今回は、食後の服用情報として、薬剤データ１５には記録がなく、薬剤データ１６に「食後に（△△薬）を、服用しましたか？」と記録されているので、△△薬の服用情報のみを、表示部２に表示する（図４のＳ７）。
【００４０】
使用者は、表示部２の表示の表示を見て、△△薬を服用したか否かを確認することとなる。つまり、薬剤の服用についてのリマインダ情報が提供される。
【００４１】
以上説明したように、本実施形態においては、血糖値の測定後に食事情報が入力されると、この食事情報に適合する薬剤の服用情報を記憶部１１から読み出して表示部２に表示させるものであるので、使用者は、血糖値を測定する時に、服用する薬剤について、どの薬剤をどのタイミングで使用すれば良いのかということを確認することができる。
【００４２】
その結果として、測定器１によって、使用者に対して薬剤の服用情報を適切に提供することができるものとなる。
【００４３】
さらに、本実施形態においては、薬剤データ１５、１６は有効期限を有し、制御部６は薬剤データが有効期限内の時に、薬剤の服用情報を表示部２に表示する構成としたものであるので、使用者に対して、薬剤の服用情報を適切に提供することができるものとなる。
【００４４】
つまり、医師により薬剤の使用期間が決められることがあるため、薬剤の使用期間に合わせて有効期限を設定することにより、不適切な服薬情報を表示しないようにしているのである。
【００４５】
具体的には、図４のＳ６、図４のＳ７で、制御部６は、食前の服用情報あるいは食後の服用情報が記憶部１１の薬剤データ１５、１６に記録されているか否かを確かめるが、この時、それぞれの薬剤データ１５、１６に記録された有効期限と時計７の日付を比較し、有効期限内の服用情報だけを表示部２に表示する。
【００４６】
たとえば、血糖値を測定した日が２０１３年の２月１５日であった時には、有効期限が２０１３年の１月３０日である薬剤データ１５の服薬情報は表示されず、有効期限が２０１３年の２月３０日である薬剤データ１６の服薬情報のみが表示されるのである。
【００４７】
したがって、適切な服薬情報のみが表示され、その結果として、測定器１によって、使用者に対して薬剤の服用情報を適切に提供することができるものとなる。
【産業上の利用可能性】
【００４８】
以上のように本発明は、センサ装着部を有する本体ケースと、この本体ケース内で前記センサ装着部に接続された測定部と、この測定部に接続された制御部と、この制御部に接続された記憶部と、前記本体ケース外表面に設けられた表示部と、前記制御部に接続された食事情報の入力手段と、を備え、前記制御部は、薬剤の服用情報を有する薬剤データを前記記憶部に記憶させるとともに、前記入力手段により食事情報が入力されると、この食事情報に適合する薬剤の服用情報を前記記憶部から読み出して前記表示部に表示させる構成としたものであるので、薬剤の服用情報を提供することができる。
【００４９】
すなわち、本発明の生体情報測定装置において、たとえば、生体情報として血糖値を測定するものである場合、血糖値の測定後に食事情報が入力されると、この食事情報に適合する薬剤の服用情報を表示部に表示させるものであるので、たとえば、「○○薬は食前に服用します。△△薬は食後に服用します。」と薬剤の服薬情報が、表示部に表示される。
【００５０】
このため、使用者は、血糖値を測定する時に、服用する薬剤について、どの薬剤をどのタイミングで使用すれば良いのかということを確認することができる。
【００５１】
その結果として、生体情報測定器によって、使用者に対して薬剤の服用情報を適切に提供することができるものとなる。
【００５２】
したがって、たとえば血液中から血糖値のような生体情報を測定する生体情報測定装置として、広く活用が期待されるものである。
【符号の説明】
【００５３】
１  測定器
１ａ  本体ケース
２  表示部
３  血糖値センサ
４  センサ装着部
５  測定部
６  制御部
７  時計
８  電池
９  キー入力部
１０  通信部
１１  記憶部
１２  点着部
１３ａ  食前ボタン
１３ｂ  食後ボタン
１４  パソコン
１５  薬剤データ
１６  薬剤データ
【図１】
2014158511.tif 000003
【図２】
2014158511.tif 000004
【図３】
2014158511.tif 000005
【図４】
2014158511.tif 000006
【図５】
2014158511.tif 000007
【図６】
2014158511.tif 000008